(57)【要約】      （修正有）【課題】三角ガード板を変位させることなく身を乗り出した乗客の検出が行える傾斜型乗客コンベアの安全装置を提供する。【解決手段】三角ガード板１２の下階側で上端に支点１４がある揺動体１５を静止構造物側から垂下させ、この揺動体１５の上方に対向した位置に揺動体の傾斜によって作動する検出手段１６を設け、この検出手段からの出力に基づいて警報を発する警報手段を設けた。背の低い児童が身を乗り出した場合、揺動体の支点から離れた下方部に接触するので、揺動体が容易に変位して変位検出手段を簡単に作動させることができ、大人が揺動体の支点近傍に接触したときは、揺動体は大きめな力でないと変位しづらくなる。その結果、悪戯などにより軽い気持ちで揺動体を触っても変位量は少なく変位検出手段を作動させるほどの変位は生じることはない。【選択図】図１
2010076850.tif 000002
【特許請求の範囲】
【請求項１】
傾斜型乗客コンベアの移動手摺が静止構造物と交差する三角空間に、静止構造物から三角ガード板を垂下して設置した傾斜型乗客コンベアの安全装置において、前記三角ガード板の下階側で上端に支点があり上下方向に長い揺動体を前記静止構造物側から垂下させ、この揺動体の上方に対向した固定部に揺動体の傾斜によって作動する検出手段を設け、この検出手段からの出力に基づいて警報を発する警報手段を設けたことを特徴とする傾斜型乗客コンベアの安全装置。
【請求項２】
傾斜型乗客コンベアの移動手摺が静止構造物と交差する三角空間に、静止構造物から三角ガード板を垂下して設置した傾斜型乗客コンベアの安全装置において、前記三角ガード板の下階側で上端に支点があり上下方向に長い揺動体を前記静止構造物側から垂下させ、この揺動体の上方に対向した固定部に揺動体の傾斜角度の変化に応じて作動する検出手段を設け、この検出手段からの出力に基づいて警報を発する警報手段を設けたことを特徴とする傾斜型乗客コンベアの安全装置。
【請求項３】
前記三角ガード板は、静止構造物に固定されていることを特徴とする請求項１又は２記載の傾斜型乗客コンベアの安全装置。
【請求項４】
前記検出手段は、進行方向に沿う前記揺動体の傾斜によって作動するものであることを特徴とする請求項１または２記載の傾斜型乗客コンベアの安全装置。
【請求項５】
前記検出手段は、前記揺動体の進行方向に直行する方向の傾斜によって作動するものであることを特徴とする請求項１または２記載の傾斜型乗客コンベアの安全装置。
【請求項６】
前記検出手段は、進行方向に沿う前記揺動体の傾斜や前記揺動体の進行方向に直行する方向の傾斜によって作動するものであることを特徴とする請求項１または２記載の傾斜型乗客コンベアの安全装置。
【請求項７】
傾斜型乗客コンベアの移動手摺が静止構造物と交差する三角空間に、静止構造物から三角ガード板を垂下して設置した傾斜型乗客コンベアの安全装置において、前記三角ガード板の下階側に上下方向に長い揺動体を進行方向に進退するように複数の弾性体を介して支持し、前記揺動体による前記弾性体の押圧によって作動する検出手段を前記揺動体の下方に対向させて設け、かつこの検出手段からの出力に基づいて警報を発する警報手段を設けると共に、前記複数の弾性体を変形させる押圧力を、揺動体の高さ方向の上方に行くに従って大きくなるように設定したことを特徴とする傾斜型乗客コンベアの安全装置。
【請求項８】
傾斜型乗客コンベアの移動手摺が静止構造物と交差する三角空間に、静止構造物から三角ガード板を垂下して設置した傾斜型乗客コンベアの安全装置において、前記三角ガード板の下階側で前記静止構造物側から支点を介して揺動自在に垂下させた上下方向に長い揺動体と、前記三角ガード板に形成され前記揺動体を進行方向にのみ進退できるように案内した案内枠と、この案内枠の前記揺動体の上方に対向した位置に設けられ前記揺動体の傾斜角度の変化に応じて作動する検出手段と、この検出手段からの出力に基づいて警報を発する警報手段とを備えたことを特徴とする傾斜型乗客コンベアの安全装置。
【請求項９】
傾斜型乗客コンベアの移動手摺が静止構造物と交差する三角空間に、静止構造物から三角ガード板を垂下して設置した傾斜型乗客コンベアの安全装置において、前記三角ガード板の下階側に上下方向に長い揺動体を進行方向に進退するように設置し、この揺動体によって作動する検出手段を前記揺動体に対向させて設け、この検出手段からの出力に基づいて警報を発する警報手段を設け、かつ、前記揺動体を、高さ方向の上方に行くに従って大きな押圧力で変位するように構成すると共に、前記揺動体が小さな押圧力で変位する位置に対向して前記検出手段を設置したことを特徴とする傾斜型乗客コンベアの安全装置。
【発明の詳細な説明】
【技術分野】
【０００１】
本発明はエスカレーターや傾斜型電動道路等の傾斜区間に設置される傾斜型乗客コンベアの安全装置に係り、特に、移動手摺が静止構造物と交差する部分に三角空間を形成する傾斜型乗客コンベアの安全装置に関する。
【背景技術】
【０００２】
移動手摺が静止構造物と交差する部分に三角空間を形成する傾斜型乗客コンベアにおいては、三角空間に静止構造物と移動手摺（欄干）との間に身を乗り出した乗客の身体が挟まれるのを防止するために、三角ガード板を設けたり、三角ガード板の変位を検出したりして危険を報知して運転を停止させる安全装置が、例えば特許文献１，２で既に提案されている。
【０００３】
【特許文献１】特開２００６−４４９４２号公報
【特許文献２】特開平８−２１７３７０号公報
【発明の開示】
【発明が解決しようとする課題】
【０００４】
上記背景技術に開示の安全装置は、いずれも移動手摺が静止構造物と交差する部分の三角空間に三角ガード板を設置し、この三角ガード板の変位を検出して警報を発したり運転を停止させたりするものである。
【０００５】
しかしながら三角ガード板は、安全性を期して容易に変形しないように、例えば厚い他のアクリル板で形成されているので、かなりの重量がある。そのために、小学校低学年の児童が身を乗り出して三角ガード板に当たったとしても、三角ガード板は容易に変位せず、その変位を速やかに検出することは困難であった。
【０００６】
そこで、三角ガード板を軽量の素材で形成することが考えられる。三角ガード板を軽量の素材で形成した場合、小学校低学年の児童の接触によっても容易に変位するので、その検出が容易になり素早く警報を発したり運転を停止したりすることができる。
【０００７】
しかしながら、三角ガード板自体が軽量であるために小学校高学年以上の乗客がちょっと触った場合でも、三角ガード板が容易に変位してしまい、身を乗り出さなくても警報を発したり運転を停止したりする問題がある。加えて、三角ガード板自体が軽量であるために、三角ガード板が長期使用のうちに自然に変形したり、悪戯により変形させられたりすることがあり、三角ガード板の変位を検出する変位検出手段が作動しなくなる虞がある。
【０００８】
本発明の目的は、三角ガード板を変位させることなく身を乗り出した乗客の検出が行える傾斜型乗客コンベアの安全装置を提供することにある。
【課題を解決するための手段】
【０００９】
本発明は上記目的を達成するために、三角ガード板の下階側で上端に支点がある揺動体を静止構造物側から垂下させ、この揺動体の上方に対向した固定部に揺動体の傾斜によって作動する検出手段を設け、この検出手段からの出力に基づいて警報を発する警報手段を設けたのである。
【００１０】
このように、上端に支点がある揺動体を垂下させたので、背の低い小学校低学年の児童が身を乗り出した場合、棒状動体の支点から離れた下方部に接触することになるので、棒状導体が容易に変位し、その変位量は大きくなる。その結果、変位検出手段を簡単に作動させることができる。一方、背が高くなる小学校高学年以上の乗客は棒状動体の高さ方向の中間部以上に接触し易く、棒状動体の高さ方向の中間部以上は支点に接近するので、揺動体は少し大きめな力でないと変位しづらくなる。したがって、悪戯などにより軽い気持ちで揺動体を触っても変位量は少なく変位検出手段を作動させるほどの変位は生じることはない。
【発明の効果】
【００１１】
以上説明したように、三角ガード板を変位させることなく身を乗り出した乗客の検出が行えると共に、背の低い乗客に対しては揺動体を容易に変位させるようにしたので、特に背の低い小学校低学年の児童の三角空間への挟まれを防止することができる。
【発明を実施するための最良の形態】
【００１２】
以下、本発明による傾斜型乗客コンベアの安全装置の実施の形態を、図１〜図３に示すエスカレーターの安全装置を一例に説明する。
【００１３】
エスカレーター１は、上階床２と下階床３とに跨って設置された枠体４と、この枠体４内に案内され無端状に連結されて循環移動する複数の踏段５と、この踏段５の幅方向両側に対向する前記枠体４から立設された欄干６と、この欄干６の周縁を前記踏段５と同期速度で循環移動する移動手摺７と、これら踏段５と移動手摺７を駆動する駆動装置（図示せず）の制御や各種安全装置（図示せず）からの検出信号を受けて警報手段を起動させたり前記駆動装置を停止させたりする制御手段８とを備えている。
【００１４】
このように構成されたエスカレーター１は、静止構造物である上階床２の天井部２Ｃを交差して設置されているために、天井部２Ｃと移動手摺７との間に三角空間９が形成される。そして、エスカレーター１に乗った児童が身を乗り出したまま上階床２側に移動すると、天井部２Ｃと移動手摺７との間の三角空間９の挟角部で乗り出した身体を挟まれてしまい危険な場合がある。
【００１５】
そこで、前記三角空間９に安全装置１０を備えて身体が三角空間９の挟角部に挟まれる前に注意を喚起したりエスカレーター１の運転を停止させたりしている。
【００１６】
本実施の形態による安全装置１０は、天井部２Ｃに固定される取付枠１１と、この取付枠１１に上端を固定されて垂下する三角ガード板１２と、この三角ガード板１２の下階床３側で三角ガード板１２そのものに支持された上下方向に長い案内枠１３と、この案内枠１３に案内され前記取付枠１１に上端を支軸１４で軸支されて垂下された上下方向に長い揺動体１５と、この揺動体１５の支軸１４に接近する側に対向する前記案内枠（固定部）１３に前記揺動体１５と対向して設置されたマイクロスイッチ（検出手段）１６とを備えている。
【００１７】
前記三角ガード板１２は、例えば、強度のある透明あるいは不透明の厚板のアクリル樹脂板から形成されている。尚、三角ガード板１２として容易に変形することがなければ、アクリル樹脂板以外の樹脂板で形成しても良く、また、金属材料で形成してもよい。
【００１８】
前記案内枠１３は、下階床３側に向って開口するＵ字状あるいはコ字状に形成されおり、この開口内に望んで前記揺動体１５が支軸１４から垂下されている。
【００１９】
前記揺動体１５は、身体がぶつかっても容易に変形しない材料及び形状に形成されており、断面は中実あるいは中空であってもよい。また、前記揺動体１５は、前記案内枠１３に一部を臨ませておくことで、支軸１４を中心に踏段５の進行方向に沿う方向にのみ傾斜進退することになる。
【００２０】
前記マイクロスイッチ１６は、検出信号を前記制御手段８に出力するように接続され、検出信号を受けた制御手段８は、警報を発したり駆動装置を停止させたりする。
【００２１】
上記構成とすることで、仮に、背の低い小学校低学年の児童が移動手摺７から身を乗り出した状態で上昇運転中のエスカレーター１に乗った場合、揺動体１５の下方部に接触する。このとき、接触した位置が支軸１４からＬ１寸法離れた位置となるので、僅かな接触力（押圧力）Ｆ１でもモーメント（Ｆ１×Ｌ１）は大きくなり、揺動体１５は、図２に示すように、支軸１４を中心として容易に回動して大きく変位する。その結果、上方に設置したマイクロスイッチ１６が作動して、その検出信号を制御手段８に出力し、制御手段８は警報手段を起動して警報を発生させ、また駆動装置を停止させてエスカレーター１の運転を停止させる。その結果、児童はエスカレーター１の緊急停止による衝撃は受けるかも知れないが、三角ガード板１２に激突して怪我をしてしまうなどの危険は回避される。
【００２２】
一方、小学校高学年以上の背が高い乗客は、移動手摺７から身を乗り出すことはないが、悪戯などで揺動体１５を触った場合には、小学校低学年の児童が触った位置よりも上方で揺動体１５を触ることになる。上方で揺動体１５を触った場合、揺動体１５の支軸１４からＬ２寸法やＬ３寸法離れた位置となるので、モーメントは夫々（Ｆ２×Ｌ２），（Ｆ３×Ｌ３）となり、小学校低学年の児童の接触力（押圧力）Ｆ１に比べて夫々大きな接触力（押圧力）Ｆ２，Ｆ３を必要とすることになる。その結果、揺動体１５を軽く触った程度では、支軸１４を中心としての回動による揺動体１５の変位は少なく、マイクロスイッチ１６を作動させるには至らない。その結果、いたずらに警報を発したりエスカレーター１の運転を停止させたりすることは回避される。
【００２３】
勿論、小学校高学年以上の背が高い乗客が移動手摺７から身を乗り出した状態で揺動体１５に接触した場合には、乗客は小学校低学年の児童よりも体重があるので、大きな接触力（押圧力）Ｆ２，Ｆ３で揺動体１５を大きく変位させてマイクロスイッチ１６を作動させることができる。
【００２４】
このように本実施の形態によれば、重量のある三角ガード板１２を変位させることなく揺動体１５のみを変位させることで、身を乗り出した乗客を検出して警報を与えたりエスカレーター１の運転を停止させたりすることができる。そして、三角ガード板１２を不動としたので、三角ガード板１２を押して揺らしたりする悪戯を防止することができる。
【００２５】
ところで、本実施の形態では、揺動体１５を案内枠１３によって一方向にのみ回動（進退）するように構成したが、支軸１４のみによって揺動体１５の一方向の回動が行えるのであれば、案内枠１３を省略することができる。
【００２６】
図４は、上記実施の形態の第１の変形例を示すもので、図１〜図３と同一符号は同一構成部材を示すので、再度の詳細な説明は省略する。
【００２７】
本変形例で上記実施の形態と異なる構成は、揺動体１５が複数の弾性体１７Ａ〜１７Ｃによって案内枠１３に支持されている点である。複数の弾性体１７Ａ〜１７Ｃは弾性体を変形させる押圧力Ｆ１〜Ｆ３が揺動体１５の下から上に行くに従って大きくなるように設定されていて、小さな押圧力Ｆ１の弾性体１７Ａの近傍にマイクロスイッチ１６を設置したのである。
【００２８】
前記弾性体１７Ａ〜１７Ｃの押圧力Ｆ１〜Ｆ３の関係は、Ｆ１＜Ｆ２＜Ｆ３となっており、下方から上方に向って弾性体１７Ａ，１７Ｂ，１７Ｃを間隔をおいて介在させて揺動体１５を支持したのである。
【００２９】
上記構成により、揺動体１５の下方に乗客が接触した場合には、揺動体１５は小さな押圧力Ｆ１で大きく案内枠１３内に後退してマイクロスイッチ１６を作動させることができ、揺動体１５の中間よりも上方に触った場合には、大きな押圧力Ｆ２，Ｆ３で触らない限り揺動体１５がマイクロスイッチ１６を作動させることができない。
【００３０】
その結果、上記実施の形態と同等の効果を奏することができる。
【００３１】
ところで上記実施の形態及び第１の変形例は、揺動体１５の変位を一つのマイクロスイッチ１６で検出するように構成したが、揺動体１５の傾斜角度や変位量に応じて作動するマイクロスイッチ１６を複数設置するようにしてもよい。このようにマイクロスイッチ１６を複数設置することで、揺動体１５の少量の変位では警報手段のみ作動させて注意を喚起させ、大量の変位を検出した場合には、警報手段を作動させつつエスカレーター１の駆動装置を停止させるようにすることができる。
【００３２】
また、上記実施の形態及び第１の変形例では、静止構造物である取付枠１１に三角ガード板１２を固定しているが、必ずしも固定する必要はなく、揺動するように取付枠１１から三角ガード板１２を吊下げるように支持するようにしてもよい。
【００３３】
さらに、前記揺動体１５を一方向にのみ進退するように案内している案内枠１３を三角ガード板１２と一体にしているが、案内枠１３を三角ガード板１２から切り離して前記取付枠１１に直接取付けるようにしてもよい。このように、案内枠１３を三角ガード板１２から切り離すことで、三角ガード板１２の設計が容易になり、エスカレーター１の設置場所によっては三角ガード板１２のみを季節ごとに色彩を変えたり、表示内容を変えたりすることができる。
【００３４】
このほか、前記揺動体１５は、案内枠１３によって踏段５の進行方向に沿った方向にのみ進退できるようにしているが、図５及び図６に示す第２の変形例のように設置しても良い。尚、図１〜図４と同一符号は同一構成部材を示すので、再度の詳細な説明は省略する。
【００３５】
即ち、取付枠１１に例えば短めの円筒状の筒枠１８を取付枠１１に固定すると共に、この筒枠１８と同心となる位置に弾性材１９を介して揺動体１５を筒枠１８外に垂下させ、さらに前記筒枠１８の周囲に複数のマイクロスイッチ１６Ａ〜１６Ｄを垂直垂下させた揺動体１５に対向するように設置したのである。
【００３６】
本変形例によれば、乗客が移動手摺７から身を乗り出した状態で揺動体１５に接触した場合、三角ガード板１２側に取付けられたマイクロスイッチ１６Ａが揺動体の変位を検出するので、上記実施の形態と同等の効果を奏することができる。また、仮に、移動手摺７から乗客が身を乗り出さなくても、混雑時に押されて身体が移動手摺７を越えて外側に突出して揺動体１５に触れたり、悪戯で揺動体１５を揺らしたりした場合には、移動手摺７とは離れた側に設置されたマイクロスイッチ１６Ｂが揺動体１５の変位を検出するので、警報手段を作動させて注意を喚起することができる。また、揺動体１５の移動手摺７側あるいは揺動体１５の下階床３側への変位に対してもマイクロスイッチ１６Ｃ，１６Ｄが検出するので、あらゆる方向の揺動体１５の変位を検出することができる。
【００３７】
以上の説明は、傾斜型乗客コンベアの安全装置としてエスカレーター１の安全装置１０を一例に説明したが、本発明による安全装置は傾斜型電動道路にも適用できることは云うまでもない。
【図面の簡単な説明】
【００３８】
【図１】本発明による傾斜型乗客コンベアの安全装置の一実施の形態を示す一部縦断側面図。
【図２】図１の動作状体を示す一部縦断側面図。
【図３】本発明による傾斜型乗客コンベアの安全装置を適用したエスカレーターを示す概略側面図。
【図４】図１の第１の変形例を示す一部縦断側面図。
【図５】図１の第２の変形例を示す一部縦断側面図。
【図６】図５のＡ−Ａ線に沿う横断拡大図。
【符号の説明】
【００３９】
１…エスカレーター、２…上階床、２Ｃ…天井部、３…下階床、４…枠体、５…踏段、６…欄干、７…移動手摺、８…制御手段、９…三角空間、１０…安全装置、１１…取付枠、１２…三角ガード板、１３…案内枠、１４…支軸、１５…揺動体、１６，１６Ａ〜１６Ｄ…マイクロスイッチ（検出手段）、１７Ａ〜１７Ｃ…弾性体。
【図１】
2010076850.tif 000003
【図２】
2010076850.tif 000004
【図３】
2010076850.tif 000005
【図４】
2010076850.tif 000006
【図５】
2010076850.tif 000007
【図６】
2010076850.tif 000008